(57)【特許請求の範囲】
【請求項１】
ディスプレイデバイスの下面に対向する底板部分と、
前記底板部分の縁部から上方に延伸する壁部分と、
前記壁部分の上端に接続し、前記底板部分と平行な方向で見た場合において前記ディスプレイデバイスとは逆側に位置する上板部分と、
前記上板部分と前記壁部分の間に設けられ、前記ディスプレイデバイスに接続する配線部材を通すために設けられている開口と、
を備え、
前記縁部が延伸する方向で見た場合、前記開口の幅は、前記底板部分の幅よりも小さい、ボックス構造を有しており、
前記壁部分と前記上板部分の間に位置し、前記底板部分と平行な補強板部を有しており、
前記開口は、前記補強板部と前記上板部分の間に位置し、
前記底板部分、前記壁部分、前記補強板部、前記開口、及び前記上板部分が並ぶ方向で見た場合において、前記開口の一端は、前記上板部分のうち前記補強板部側の端部に位置しており、前記開口の他端は、前記補強板部のうち前記上板部分側の端部に位置しており、
前記上板部分には前記ディスプレイデバイスを覆うカバー部材の端部が配置され、
前記開口の前記上板部分側の端部は、前記カバー部材に対向するフレーム部材。
【請求項２】
ディスプレイデバイスの下面に対向する底板部分と、
前記底板部分の縁部から上方に延伸する壁部分と、
前記壁部分の上端に接続し、前記底板部分と平行な方向で見た場合において前記ディスプレイデバイスとは逆側に位置する上板部分と、
前記上板部分と前記壁部分の間に設けられ、前記ディスプレイデバイスに接続する配線部材を通すために設けられている開口と、
を備え、
前記縁部が延伸する方向で見た場合、前記開口の幅は、前記底板部分の幅よりも小さい、ボックス構造を有しており、
前記壁部分のうち、前記縁部が延伸する方向で見た場合において、前記開口と向き合った部分の両サイドそれぞれに位置する部分は、前記開口と向き合った部分よりも高くなっており、
前記壁部分のうち前記両サイドに位置する部分は、直接前記上板部分に接続しており、
前記壁部分のうち前記開口と向き合った部分は、前記上板部分より下に位置していて前記底板部分と平行な補強板部の一端に接続しており、
前記上板部分には前記ディスプレイデバイスを覆うカバー部材の端部が配置され、
前記開口の前記上板部分側の端部は、前記カバー部材に対向するフレーム部材。
【請求項３】
請求項２に記載のフレーム部材において、
前記底板部分、前記壁部分、前記補強板部、前記開口、及び前記上板部分が並ぶ方向で見た場合において、前記開口の一端は、前記上板部分のうち前記補強板部側の端部に位置しており、前記開口の他端は、前記補強板部のうち前記上板部分側の端部に位置しているフレーム部材。
【請求項４】
請求項３に記載のフレーム部材において、
前記補強板部の他端は、前記開口の一端に面しており、
前記開口の他端は、前記上板部分に面しているフレーム部材。
【請求項５】
請求項３又は４に記載のフレーム部材において、
前記補強板部の両サイドそれぞれに設けられ、下端が前記補強板部に接続し、上端が前記上板部分に接続する側板部分を備えるフレーム部材。
【請求項６】
請求項５に記載のフレーム部材において、
前記側板部分の一方の側部は、前記壁部分の前記サイドに位置する側部に接続しており、
前記側板部分の他方の側部は、前記開口に面しているフレーム部材。
【請求項７】
請求項１〜６のいずれか一項に記載のフレーム部材において、
前記底板部分の平面形状は長方形であり、
前記壁部分は前記底板部分の短辺に設けられているフレーム部材。
【請求項８】
請求項１〜７のいずれか一項に記載のフレーム部材において、
前記フレーム部材は、金属の板材をプレス加工することにより形成されているフレーム部材。
【発明の詳細な説明】
【技術分野】
【０００１】
本発明は、平板状のディスプレイデバイスを有する電子機器に関し、特に、ディスプレイデバイスをボックス状のフレーム部材で支持する構造の電子機器、そのフレーム部材、に関する。
【背景技術】
【０００２】
現在、いわゆる携帯電話端末などの電子機器は、ディスプレイデバイスが搭載されている。特に、携帯サイズの電子機器では、ディスプレイデバイスの大画面化と機器全体の小型化との両立が要求されている。
【０００３】
ここで、上述のような電子機器の一従来例を図４ないし図６を参照して以下に説明する。ここで例示する電子機器２００は、図４および図５に示すように、上下方向に扁平な平板状で少なくとも前端部が直線状のディスプレイデバイス２１０を有する。
【０００４】
さらに、図４に示すように、ディスプレイデバイス２１０の前端部に接続されている上下方向に扁平な配線部材２２０と、ディスプレイデバイス２１０を支持する上面開口のボックス状で配線部材２２０が挿通される上下方向に扁平なスリット状の開口孔２３１が形成されているフレーム部材２３０と、ディスプレイデバイス２１０に配線部材２２０で接続されてフレーム部材２３０の下方に配置される回路基板２４０と、この回路基板２４０を包囲してフレーム部材２３０の下面に装着される下部カバー２５０と、フレーム部材２３０の上面に装着される透明な上面カバー２６０と、も有する。
【０００５】
フレーム部材２３０は、例えば、マグネシウム合金やステンレス合金などの金属の板材をプレス加工することで形成されている。フレーム部材２３０は、少なくとも前縁部が直線状でディスプレイデバイス２１０の下面に対向する底板部分２３２と、底板部分２３２の前縁部から上方に直線状の上縁部まで連続してディスプレイデバイス２１０の前端部に対向する前壁部分２３３と、前壁部分２３３の上縁部から前方に連続する上板部分２３４と、を有する。そして、図４および図６に示すように、底板部分２３２と前壁部分２３３との境界の位置に開口孔２３１が形成されている。
【０００６】
上述のような電子機器２００では、フレーム部材２３０は、底板部分２３２と前壁部分２３３と上板部分２３４とが順番に連続してディスプレイデバイス２１０を支持する上面開口のボックス構造を形成している。
【０００７】
現在、上述のような電子機器として各種の提案がある（例えば、特許文献１〜４参照）。
【先行技術文献】
【特許文献】
【０００８】
【特許文献１】特開２０００−１９３９４４号公報
【特許文献２】特開２００４−１７２４５４号公報
【特許文献３】特開２００４−２５１９３８号公報
【特許文献４】特開２００５−１８９４９９号公報
【発明の概要】
【発明が解決しようとする課題】
【０００９】
上述のような電子機器２００では、上面開口のボックス状のフレーム部材２３０でディスプレイデバイス２１０を支持することにより、ディスプレイデバイス２１０を保護して破壊を防止している。
【００１０】
このような平板状のディスプレイデバイス２１０は、特に表面と直交する上方から応力が作用すると破壊されやすい。換言すると、フレーム部材２３０は、底板部分２３２でディスプレイデバイス２１０の下面を確実に支持することが重要である。
【００１１】
しかし、上述の電子機器２００では、ディスプレイデバイス２１０の配線部材２２０を挿通させる開口孔２３１が、底板部分２３２と前壁部分２３３との境界の位置に形成されている。
【００１２】
このため、この開口孔２３１の位置では底板部分２３２と前壁部分２３３とが連結されていない。従って、底板部分２３２は、例えば、開口孔２３１に近接した前縁部に上方から応力が作用すると、簡単に湾曲することになる。
【００１３】
つまり、フレーム部材２３０は、開口孔２３１に近接した底板部分２３２の前縁近傍では、ディスプレイデバイス２１０の下面を確実に支持することができない。従って、上述の電子機器２００では、例えば、ディスプレイデバイス２１０の前部などに上方から応力が作用したときに、破壊が発生しやすい。
【００１４】
本発明は上述のような課題に鑑みてなされたものであり、ディスプレイデバイスをフレーム部材で良好に支持して破壊を防止することができる電子機器、そのフレーム部材、を提供するものである。
【課題を解決するための手段】
【００１５】
本発明の電子機器は、上下方向に扁平な平板状で少なくとも前端部が直線状のディスプレイデバイスと、ディスプレイデバイスの前端部に接続されている上下方向に扁平な配線部材と、ディスプレイデバイスを支持する上面開口のボックス状で配線部材が挿通される上下方向に扁平なスリット状の開口孔が形成されているフレーム部材と、を有する電子機器であって、フレーム部材は、少なくとも前縁部が直線状でディスプレイデバイスの下面に対向する底板部分と、底板部分の前縁部から上方に直線状の上縁部まで連続してディスプレイデバイスの前端部に対向する前壁部分と、前壁部分の上縁部から前方に連続する上板部分と、を有し、前壁部分と上板部分との境界の位置に開口孔が形成されている。
【００１６】
本発明のフレーム部材は、上下方向に扁平な平板状で少なくとも前端部が直線状のディスプレイデバイスと、ディスプレイデバイスの前端部に接続されている上下方向に扁平な配線部材と、ディスプレイデバイスを支持する上面開口のボックス状で配線部材が挿通される上下方向に扁平なスリット状の開口孔が形成されているフレーム部材と、を有する電子機器のフレーム部材であって、少なくとも前縁部が直線状でディスプレイデバイスの下面に対向する底板部分と、底板部分の前縁部から上方に直線状の上縁部まで連続してディスプレイデバイスの前端部に対向する前壁部分と、前壁部分の上縁部から前方に連続する上板部分と、を有し、前壁部分と上板部分との境界の位置に開口孔が形成されている。
【００１７】
なお、本発明の各種の構成要素は、その機能を実現するように形成されていればよく、例えば、所定の機能を発揮する専用のハードウェア、所定の機能がコンピュータプログラムにより付与された電子機器、コンピュータプログラムにより電子機器に実現された所定の機能、これらの任意の組み合わせ、等として実現することができる。
【００１８】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１９】
また、本発明では上下や前後などの方向を規定しているが、これは本発明の構成要素の相対関係を簡単に説明するために便宜的に規定したものであり、本発明を実施する場合の製造時や使用時の方向を限定するものではない。
【発明の効果】
【００２０】
本発明の電子機器のフレーム部材では、底板部分と前壁部分と上板部分とが順番に連続してディスプレイデバイスを支持する上面開口のボックス構造を形成している。ただし、そのディスプレイデバイスの配線部材を挿通する開口孔が前壁部分と上板部分との境界の位置に形成されている。このため、底板部分の前縁部の全域に前壁部分が連続しており、ディスプレイデバイスの下面を支持する底板部分の強度を確保することができる。従って、ディスプレイデバイスに上方から応力が作用したような場合でも、このディスプレイデバイスをフレーム部材で良好に支持して破壊を防止することができる。
【図面の簡単な説明】
【００２１】
【図１】本発明の実施の形態の電子機器の組立構造を示す分解斜視図である。
【図２】電子機器の外観を示す斜視図である。
【図３】図２のＡ−Ａ断面図である。
【図４】一従来例の電子機器の組立構造を示す分解斜視図である。
【図５】電子機器の外観を示す斜視図である。
【図６】図５のＡ−Ａ断面図である。
【発明を実施するための形態】
【００２２】
本発明の実施の一形態を図１ないし図３を参照して以下に説明する。なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００２３】
本実施の形態の電子機器１００は、図１に示すように、上下方向に扁平な平板状で少なくとも前端部が直線状のディスプレイデバイス１１０と、ディスプレイデバイス１１０の前端部に接続されている上下方向に扁平な配線部材１２０と、ディスプレイデバイス１１０を支持する上面開口のボックス状で配線部材１２０が挿通される上下方向に扁平なスリット状の開口孔１３１が形成されているフレーム部材１３０と、を有する。
【００２４】
より具体的には、本実施の形態の電子機器１００は、少なくとも片手で把持される携帯サイズに形成されており、図２に示すように、いわゆる開閉構造の携帯電話端末(図示せず)のディスプレイユニットからなる。
【００２５】
このような携帯電話端末では、同等な外形のディスプレイユニットとキーボードユニットとがヒンジ機構により開閉自在に連結されている。ただし、以下では説明を簡単とするため、上述の携帯電話端末のディスプレイユニットのみを電子機器１００として説明する。
【００２６】
本実施の形態の電子機器１００は、携帯電話端末のディスプレイユニットとして機能するため、前述のディスプレイデバイス１１０と配線部材１２０とフレーム部材１３０の他、ディスプレイデバイス１１０に配線部材１２０で接続されてフレーム部材１３０の下方に配置される回路基板１４０、この回路基板１４０を包囲してフレーム部材１３０の下面に装着される下部カバー１５０、フレーム部材１３０の上面に装着される透明な上面カバー１６０、も有する。
【００２７】
フレーム部材１３０は、例えば、マグネシウム合金やステンレス合金などの金属の板材をプレス加工することで形成されている。フレーム部材１３０は、少なくとも前縁部が直線状でディスプレイデバイス１１０の下面に対向する底板部分１３２と、底板部分１３２の前縁部から上方に直線状の上縁部まで連続してディスプレイデバイス１１０の前端部に対向する前壁部分１３３と、前壁部分１３３の上縁部から前方に連続する上板部分１３４と、を有する。
【００２８】
そして、図１および図３に示すように、前壁部分１３３と上板部分１３４との境界の位置に開口孔１３１が形成されている。さらに、開口孔１３１の下縁部から前方にリブ状に連続する補強板部１３５が形成されている。
【００２９】
換言すると、本実施の形態の電子機器１００のフレーム部材１３０は、底板部分１３２から上板部分１３４まで連続する段部が二重に形成されている。また、フレーム部材１３０は、開口孔１３１の左右両側で補強板部１３５と前壁部分１３３と上板部分１３４とに連続する側板部分１３６も形成されている。この側板部分１３６は、平面形状で傾斜した構造に形成されている。
【００３０】
上述のような構成において、本実施の形態の電子機器１００のフレーム部材１３０では、底板部分１３２と前壁部分１３３と上板部分１３４とが順番に連続してディスプレイデバイス１１０を支持する上面開口のボックス構造を形成している。
【００３１】
ただし、そのディスプレイデバイス１１０の配線部材１２０を挿通する開口孔１３１が前壁部分１３３と上板部分１３４との境界の位置に形成されている。このため、底板部分１３２の前縁部の全域に前壁部分１３３が連続しており、ディスプレイデバイス１１０の下面を支持する底板部分１３２の強度を確保することができる。
【００３２】
従って、ディスプレイデバイス１１０に上方から応力が作用したような場合でも、このディスプレイデバイス１１０をフレーム部材１３０で良好に支持して破壊を防止することができる。
【００３３】
しかも、本実施の形態の電子機器１００のフレーム部材１３０では、開口孔１３１の下縁部から前方にリブ状に連続する補強板部１３５が形成されている。さらに、開口孔１３１の左右両側で補強板部１３５と前壁部分１３３と上板部分１３４とに連続する側板部分１３６が形成されている。
【００３４】
このため、開口孔１３１が形成されている前壁部分１３３の強度も補強板部１３５と側板部分１３６とにより充分に確保されている。従って、さらに良好にディスプレイデバイス１１０をフレーム部材１３０で支持して破壊を防止することができる。
【００３５】
なお、本実施の形態の電子機器１００は、金属の板材でフレーム部材１３０が形成されている。このため、その板厚は基本的に均一であり、強度確保のために要部のみ肉厚に形成するようなことは困難である。
【００３６】
さらに、本実施の形態の電子機器１００は、少なくとも片手で把持される携帯サイズに形成されている。このため、強度確保のためにフレーム部材１３０を無闇に大型化することもできない。
【００３７】
しかし、本実施の形態の電子機器１００では、上述のようにフレーム部材１３０の形状を工夫することで、ディスプレイデバイス１１０の支持に必要な強度が確保されている。
【００３８】
なお、本発明は本実施の形態に限定されるものではなく、その要旨を逸脱しない範囲で各種の変形を許容する。例えば、上記形態では電子機器１００が開閉構造の携帯電話端末のディスプレイユニットからなることを例示した。
【００３９】
しかし、電子機器１００が、開閉構造ではないスライド構造の携帯電話端末のディスプレイユニットからなること、開閉構造ではないソリッド構造の携帯電話端末からなること、開閉構造やスライド構造やソリッド構造のＰＤＡ（Personal Digital Assistance）や電子辞書からなること、等でもよい（図示せず）。上述のように電子機器がソリッド構造の場合、そのディスプレイデバイスはキーボードデバイスを兼用したタッチパネルでよい(図示せず)。
【００４０】
また、上記形態ではフレーム部材１３０の開口孔１３１の下縁部から前方にリブ状に連続する補強板部１３５が形成されていることを例示した。しかし、開口孔１３１の前縁部から下方にリブ状に連続する補強板部が形成されていてもよい(図示せず)。
【００４１】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。上記した実施形態によれば、以下の発明が開示されている。
（付記１）
上下方向に扁平な平板状で少なくとも前端部が直線状のディスプレイデバイスと、前記ディスプレイデバイスの前端部に接続されている上下方向に扁平な配線部材と、前記ディスプレイデバイスを支持する上面開口のボックス状で前記配線部材が挿通される上下方向に扁平なスリット状の開口孔が形成されているフレーム部材と、を有する電子機器であって、
前記フレーム部材は、
少なくとも前縁部が直線状で前記ディスプレイデバイスの下面に対向する底板部分と、
前記底板部分の前縁部から上方に直線状の上縁部まで連続して前記ディスプレイデバイスの前端部に対向する前壁部分と、
前記前壁部分の上縁部から前方に連続する上板部分と、を有し、
前記前壁部分と前記上板部分との境界の位置に前記開口孔が形成されている電子機器。
（付記２）
前記フレーム部材は、前記開口孔の下縁部から前方にリブ状に連続する補強板部が形成されている付記１に記載の電子機器。
（付記３）
前記フレーム部材は、前記開口孔の前縁部から下方にリブ状に連続する補強板部が形成されている付記１または２に記載の電子機器。
（付記４）
前記フレーム部材は、前記開口孔の左右両側で前記補強板部と前記前壁部分と前記上板部分とに連続する側板部分が形成されている付記２または３に記載の電子機器。
（付記５）
前記フレーム部材は、金属の板材で形成されている付記１ないし４の何れか一項に記載の電子機器。
（付記６）
少なくとも片手で把持される携帯サイズに形成されている付記１ないし５の何れか一項に記載の電子機器。
（付記７）
上下方向に扁平な平板状で少なくとも前端部が直線状のディスプレイデバイスと、前記ディスプレイデバイスの前端部に接続されている上下方向に扁平な配線部材と、前記ディスプレイデバイスを支持する上面開口のボックス状で前記配線部材が挿通される上下方向に扁平なスリット状の開口孔が形成されているフレーム部材と、を有する電子機器の前記フレーム部材であって、
少なくとも前縁部が直線状で前記ディスプレイデバイスの下面に対向する底板部分と、
前記底板部分の前縁部から上方に直線状の上縁部まで連続して前記ディスプレイデバイスの前端部に対向する前壁部分と、
前記前壁部分の上縁部から前方に連続する上板部分と、を有し、
前記前壁部分と前記上板部分との境界の位置に前記開口孔が形成されているフレーム部材。
【符号の説明】
【００４２】
１００    電子機器
１１０    ディスプレイデバイス
１２０    配線部材
１３０    フレーム部材
１３１    開口孔
１３２    底板部分
１３３    前壁部分
１３４    上板部分
１３５    補強板部
１３６    側板部分
１４０    回路基板
１５０    下部カバー
１６０    上面カバー
２００    電子機器
２１０    ディスプレイデバイス
２２０    配線部材
２３０    フレーム部材
２３１    開口孔
２３２    底板部分
２３３    前壁部分
２３４    上板部分
２４０    回路基板
２５０    下部カバー
２６０    上面カバー
【図１】
0005392866.tif 000002
【図２】
0005392866.tif 000003
【図３】
0005392866.tif 000004
【図４】
0005392866.tif 000005
【図５】
0005392866.tif 000006
【図６】
0005392866.tif 000007